(57)【要約】【課題】    本発明の目的は、乾き易さの利便性の向上を図った泡立てネット及び泡立てネットの使用方法を提供するものである。【解決手段】    泡立てネットＮは、筒状に形成されたネット本体１と、このネット本体１の筒内に設けられたひも２と、ネット本体１の筒状の一端と他端が取り付けられ、ひも２の移動を許容する通路３１Ａ、３１Ｂを有したネット本体取り付け部３とを備え、ネット本体取り付け部３の一方の側にひも２の一端２Ａと他端２Ｂが、ネット本体取り付け部３の他方の側にネット本体１が、それぞれ位置し、通路３１Ａ、３１Ｂはひも２の移動を許容し、ネット本体１の移動を禁止するものである。【選択図】図１
2018114260.tif 000002
【特許請求の範囲】
【請求項１】
筒状に形成されたネット本体と、
このネット本体の筒内に設けられたひもと、
前記ネット本体の筒状の一端と他端が取り付けられ、前記ひもの移動を許容する通路を有したネット本体取り付け部とを備え、
前記ネット本体取り付け部の一方の側に前記ひもの一端と他端が、前記ネット本体取り付け部の他方の側に前記ネット本体が、それぞれ位置し、
前記通路は前記ひもの移動を許容し、前記ネット本体の移動を禁止する
ことを特徴とする泡立てネット。
【請求項２】
ひもの一端の側と前記ひもの他端の側とが結合されて結合部が形成され、この結合部が通路を通過しないようにして、前記ひもがネット本体取り付け部から離脱しないようにしている
ことを特徴とする請求項１記載の泡立てネット。
【請求項３】
ひもの長手方向に沿ってネット本体の網目を通して取り付けられた長手方向に長い第１の長手形状部材と、
前記ひもの長手方向に沿ってネット本体の網目を通して取り付けられた長手方向に長い第２の長手形状部材とを備え、
前記ひもが前記第１の長手形状部材と前記第２の長手形状部材との間に位置している    ことを特徴とする請求項１記載の泡立てネット。
【請求項４】
第１の長手形状部材がネット本体に対してギャザー縫い又はタック縫いされ、         
第２の長手形状部材がネット本体に対してギャザー縫い又はタック縫いされている
ことを特徴とする請求項３記載の泡立てネット。
【請求項５】
帯状に形成されたネット本体と、
このネット本体の網目に通すひもと、
前記ネット本体の帯状の一端と他端が取り付けられ、前記ひもの移動を許容する通路を有したネット本体取り付け部とを備え、
前記ネット本体取り付け部の一方の側に前記ひもの一端と他端が、前記ネット本体取り付け部の他方の側に前記ネット本体が、それぞれ位置し、
前記通路は前記ひもの移動を許容し、前記ネット本体の移動を禁止する
ことを特徴とする泡立てネット。
【請求項６】
ネット本体と、
このネット本体に設けられたひもと、
前記ネット本体の一端と他端が取り付けられ、前記ひもの移動を許容する通路を有したネット本体取り付け部とを備え、
前記ネット本体取り付け部の一方の側に前記ひもの一端と他端が、前記ネット本体取り付け部の他方の側に前記ネット本体が、それぞれ位置し、
前記通路は前記ひもの移動を許容し、前記ネット本体の移動を禁止するものであり、
泡立て時、前記ひもをネット本体取り付け部から引き出して前記ネット本体を縮めて使用し、
乾燥時又は前記ネット本体に付着した泡分離時、前記引き出しの方向とは逆方向に、前記ネット本体を前記ひもの長手方向に伸ばして使用する
ことを特徴とする泡立てネットの使用方法。
【請求項７】
筒状に形成されたネット本体と、
このネット本体の筒内に設けられた第１のひもと、
前記ネット本体の筒内に設けられた第２のひもと、
前記ネット本体に設けられ、前記第１のひも及び前記第２のひもが位置し、前記第１のひも及び前記第２のひもの移動を許容する通路とを備え、
前記通路は、両端が開放され、開放された一方は一方開放部であり、開放された他方は他方開放部であり、
前記通路は、中途が開放され、開放された一方は前記一方開放部に連通する中途一方開放部であり、開放された他方は前記他方開放部に連通する中途他方開放部であり、
前記第１のひもは、前記通路内にあって、前記一方開放部、前記中途一方開放部、前記中途他方開放部、前記他方開放部を通ると共に、環状に形成され、
前記第２のひもは、前記通路内にあって、前記一方開放部、前記中途一方開放部、前記中途他方開放部、前記他方開放部を通ると共に、環状に形成されている
ことを特徴とする泡立てネット。
【請求項８】
筒状に形成されたネット本体と、
このネット本体の筒内に設けられた第１のひもと、
前記ネット本体の筒内に設けられた第２のひもと、
前記ネット本体に設けられ、前記第１のひも及び前記第２のひもが位置し、前記第１のひも及び前記第２のひもの移動を許容する通路とを備え、
前記通路は、両端が開放され、開放された一方は一方開放部であり、開放された他方は他方開放部であり、
前記通路は、中途が開放され、開放された一方は前記一方開放部に連通する中途一方開放部であり、開放された他方は前記他方開放部に連通する中途他方開放部であり、
前記第１のひもは、前記通路内にあって、前記一方開放部、前記中途一方開放部、前記中途他方開放部、前記他方開放部を通ると共に、環状に形成され、
前記第２のひもは、前記通路内にあって、前記一方開放部、前記中途一方開放部、前記中途他方開放部、前記他方開放部を通ると共に、環状に形成され、
泡立て時、前記一方開放部及び前記他方開放部より露出した前記第１のひもの一端と前記中途一方開放部及び前記中途他方開放部より露出した前記第２のひもの一端とを遠ざかる方向へ移動させて前記ネット本体を縮めて使用し、その後、縮めた泡が付いた前記ネット本体で体の部位を洗うものであり、
乾燥時、縮めた前記ネット本体を前記第１のひも及び前記第２のひもの長手方向に伸ばして使用する
ことを特徴とする泡立てネットの使用方法。
【発明の詳細な説明】
【技術分野】
【０００１】
本発明は、泡立てネット及び泡立てネットの使用方法に係り、特に、乾き易さの利便性の向上を図った泡立てネット及び泡立てネットの使用方法に関する。
【背景技術】
【０００２】
従来、洗顔液、石けんなどを泡立てるために用いられる泡立てネットがある（特許文献参照）。
この種、泡立てネットにあっては、泡立てネットを密に構成して泡立てを良くするようにしている。
【先行技術文献】
【特許文献】
【０００３】
【特許文献１】特開２００９−１３６６３７号公報
【発明の概要】
【発明が解決しようとする課題】
【０００４】
しかしながら、泡立てネットを密に構成すると、通気性も良くなく、乾きにくく、カビが発生する要因にもなるという問題点があった。
【０００５】
本発明は、上記問題点を考慮してなされたもので、乾き易さの利便性の向上を図った泡立てネット及び泡立てネットの使用方法を提供することを目的とする。
【課題を解決するための手段】
【０００６】
請求項１記載の泡立てネットは、筒状に形成されたネット本体と、このネット本体の筒内に設けられたひもと、前記ネット本体の筒状の一端と他端が取り付けられ、前記ひもの移動を許容する通路を有したネット本体取り付け部とを備え、前記ネット本体取り付け部の一方の側に前記ひもの一端と他端が、前記ネット本体取り付け部の他方の側に前記ネット本体が、それぞれ位置し、前記通路は前記ひもの移動を許容し、前記ネット本体の移動を禁止するものである。
【０００７】
また、請求項２記載の泡立てネットは、請求項１記載の泡立てネットにおいて、ひもの一端の側と前記ひもの他端の側とが結合されて結合部が形成され、この結合部が通路を通過しないようにして、前記ひもがネット本体取り付け部から離脱しないようにしているものである。
【０００８】
また、請求項３記載の泡立てネットは、請求項１記載の泡立てネットにおいて、ひもの長手方向に沿ってネット本体の網目を通して取り付けられた長手方向に長い第１の長手形状部材と、前記ひもの長手方向に沿ってネット本体の網目を通して取り付けられた長手方向に長い第２の長手形状部材とを備え、前記ひもが前記第１の長手形状部材と前記第２の長手形状部材との間に位置しているものである。
【０００９】
また、請求項４記載の泡立てネットは、請求項３記載の泡立てネットにおいて、第１の長手形状部材がネット本体に対してギャザー縫い又はタック縫いされ、第２の長手形状部材がネット本体に対してギャザー縫い又はタック縫いされているものである。
【００１０】
また、請求項５記載の泡立てネットは、帯状に形成されたネット本体と、このネット本体の網目に通すひもと、前記ネット本体の帯状の一端と他端が取り付けられ、前記ひもの移動を許容する通路を有したネット本体取り付け部とを備え、前記ネット本体取り付け部の一方の側に前記ひもの一端と他端が、前記ネット本体取り付け部の他方の側に前記ネット本体が、それぞれ位置し、前記通路は前記ひもの移動を許容し、前記ネット本体の移動を禁止するものである。
【００１１】
また、請求項６記載の泡立てネットの使用方法は、ネット本体と、このネット本体に設けられたひもと、前記ネット本体の一端と他端が取り付けられ、前記ひもの移動を許容する通路を有したネット本体取り付け部とを備え、前記ネット本体取り付け部の一方の側に前記ひもの一端と他端が、前記ネット本体取り付け部の他方の側に前記ネット本体が、それぞれ位置し、前記通路は前記ひもの移動を許容し、前記ネット本体の移動を禁止するものであり、泡立て時、前記ひもをネット本体取り付け部から引き出して前記ネット本体を縮めて使用し、乾燥時又は前記ネット本体に付着した泡分離時、前記引き出しの方向とは逆方向に、前記ネット本体を前記ひもの長手方向に伸ばして使用するものである。
【００１２】
また、請求項７記載の泡立てネットは、筒状に形成されたネット本体と、このネット本体の筒内に設けられた第１のひもと、前記ネット本体の筒内に設けられた第２のひもと、前記ネット本体に設けられ、前記第１のひも及び前記第２のひもが位置し、前記第１のひも及び前記第２のひもの移動を許容する通路とを備え、前記通路は、両端が開放され、開放された一方は一方開放部であり、開放された他方は他方開放部であり、前記通路は、中途が開放され、開放された一方は前記一方開放部に連通する中途一方開放部であり、開放された他方は前記他方開放部に連通する中途他方開放部であり、前記第１のひもは、前記通路内にあって、前記一方開放部、前記中途一方開放部、前記中途他方開放部、前記他方開放部を通ると共に、環状に形成され、前記第２のひもは、前記通路内にあって、前記一方開放部、前記中途一方開放部、前記中途他方開放部、前記他方開放部を通ると共に、環状に形成されているものである。
【００１３】
また、請求項８記載の泡立てネットの使用方法は、筒状に形成されたネット本体と、このネット本体の筒内に設けられた第１のひもと、前記ネット本体の筒内に設けられた第２のひもと、前記ネット本体に設けられ、前記第１のひも及び前記第２のひもが位置し、前記第１のひも及び前記第２のひもの移動を許容する通路とを備え、前記通路は、両端が開放され、開放された一方は一方開放部であり、開放された他方は他方開放部であり、前記通路は、中途が開放され、開放された一方は前記一方開放部に連通する中途一方開放部であり、開放された他方は前記他方開放部に連通する中途他方開放部であり、前記第１のひもは、前記通路内にあって、前記一方開放部、前記中途一方開放部、前記中途他方開放部、前記他方開放部を通ると共に、環状に形成され、前記第２のひもは、前記通路内にあって、前記一方開放部、前記中途一方開放部、前記中途他方開放部、前記他方開放部を通ると共に、環状に形成され、泡立て時、前記一方開放部及び前記他方開放部より露出した前記第１のひもの一端と前記中途一方開放部及び前記中途他方開放部より露出した前記第２のひもの一端とを遠ざかる方向へ移動させて前記ネット本体を縮めて使用し、その後、縮めた泡が付いた前記ネット本体で体の部位を洗うものであり、乾燥時、縮めた前記ネット本体を前記第１のひも及び前記第２のひもの長手方向に伸ばして使用するものである。
【発明の効果】
【００１４】
請求項１記載の泡立てネットによれば、泡立て時、ひもをネット本体取り付け部から引き出してネット本体を縮めて使用することができるため、前記ネット本体を密にして泡立て易くし、しかも、乾燥時、前記引き出しの方向とは逆方向に、前記ネット本体を前記ひもの長手方向に伸ばして使用することができるため、乾き易い効果を有する。
【００１５】
また、請求項２記載の泡立てネットによれば、上述した請求項１記載の発明の効果に加え、ひもの一端の側と前記ひもの他端の側とが結合されて結合部が形成され、この結合部が通路を通過しないようにしているため、ひもがネット本体取り付け部から離脱するのを防ぐことができる。
【００１６】
また、請求項３記載の泡立てネットによれば、上述した請求項１記載の発明の効果に加え、ひもが第１の長手形状部材と第２の長手形状部材との間に位置してネット本体に取り付けられているため、ひもを所定位置に保ち、引いては、ネット本体を所定形状に保って、泡立て効果を均一化することができる。
【００１７】
また、請求項４記載の泡立てネットによれば、上述した請求項３記載の発明の効果に加え、第１の長手形状部材がネット本体に対してギャザー縫い又はタック縫いされ、第２の長手形状部材がネット本体に対してギャザー縫い又はタック縫いされているため、ギャザー縫い又はタック縫いによりネット本体に皺が形成され、泡立て効果を更に向上させることができる。
【００１８】
また、請求項５記載の泡立てネットによれば、泡立て時、ひもをネット本体取り付け部から引き出してネット本体を縮めて使用することができるため、前記ネット本体を密にして泡立て易くし、しかも、乾燥時、前記引き出しの方向とは逆方向に、前記ネット本体を前記ひもの長手方向に伸ばして使用することができるため、乾き易い効果を有する。
【００１９】
また、請求項６記載の泡立てネットの使用方法によれば、泡立て時、ひもをネット本体取り付け部から引き出して前記ネット本体を縮めて使用することができるため、前記ネット本体を密にして泡立て易くし、しかも、乾燥時、前記引き出しの方向とは逆方向に、前記ネット本体を前記ひもの長手方向に伸ばして使用することができるため、乾き易く、また、ネット本体に付着した泡分離時、泡が取り易くなる等の効果を有する。
【００２０】
また、請求項７記載の泡立てネットによれば、第１のひもは、通路内にあって、一方開放部、中途一方開放部、中途他方開放部、他方開放部を通ると共に、環状に形成され、第２のひもは、通路内にあって、一方開放部、中途一方開放部、中途他方開放部、他方開放部を通ると共に、環状に形成されているため、泡立て時、一方開放部及び他方開放部より露出した第１のひもの一端と中途一方開放部及び中途他方開放部より露出した第２のひもの一端とを遠ざかる方向へ移動させ、ネット本体を縮めて使用して、ネット本体を密にして泡立て易くし、しかも、乾燥時、縮めたネット本体を第１のひも及び第２のひもを第１のひも及び第２のひもの長手方向に移動させてネット本体を伸ばして使用するため、乾き易い効果を有する。
【００２１】
また、請求項８記載の泡立てネットの使用方法によれば、泡立て時、一方開放部及び他方開放部より露出した第１のひもの一端と中途一方開放部及び中途他方開放部より露出した第２のひもの一端とを遠ざかる方向へ移動させて、ネット本体を縮めて使用することができるため、ネット本体を密にして泡立て易くし、しかも、乾燥時、縮めたネット本体を第１のひも及び第２のひもを第１のひも及び第２のひもの長手方向に移動させてネット本体を伸ばして使用するため、乾き易い効果を有する。
【図面の簡単な説明】
【００２２】
【図１】図１は、本発明の一実施例の泡立てネットを伸ばした状態の概略的正面図である。
【図２】図２は、図１の概略的側面図である。
【図３】図３は、図１の泡立てネットを縮めた状態の概略的正面図である。
【図４】図４は、図１の泡立てネットを構成する部材の概略的構成図である。
【図５】図５は、図１の泡立てネットの組み立て方を示すもので、ひもを筒状のネット本体の内方に位置させ、前記ひもの両サイドに第１、第２の長手形状部材を位置させてネット本体に縫製により取り付けた状態の写真である。
【図６】図６は、図５のネット本体を二つ折りにした状態の写真である。
【図７】図７は、図６のネット本体を内側パーツに挟んだ状態の写真である。
【図８】図８は、図７の内側パーツの通路にひもを通した状態の写真である。
【図９】図９は、図８のネット本体をネット本体取り付け部に取り付けた状態の写真である。
【図１０】図１０は、図９の内側パーツに外側パーツを螺合させると共に、ひもを結束させた状態の写真である。
【図１１】図１１は、図１０の内側パーツの概略的正面図である。
【図１２】図１２は、図１１の内側パーツの組み立て前の状態の概略的図である。
【図１３】図１３は、図１０の外側パーツの概略的断面図である。
【図１４】図１４は、図１３の外側パーツを図１１の内側パーツに螺合させた状態のの概略的断面図である。
【図１５】図１５は、図３の泡立てネットの使用状態を示す写真である。
【図１６】図１６は、図１の泡立てネットの使用状態を示す写真である。
【図１７】図１７は、図１の泡立てネットの図１６とは、異なる他の使用状態を示す写真である。
【図１８】図１８は、図１の泡立てネットと異なる他の実施例の泡立てネットの概略的図である。
【図１９】図１９は、図１８の泡立てネットの第１、第２のひもを矢印方向へ引っ張る途中状態の泡立てネットの概略的図である。
【図２０】図２０は、図１８の泡立てネットの第１、第２のひもを矢印方向へ引っ張った状態の泡立てネットの概略的図である。
【発明を実施するための形態】
【００２３】
本発明の一実施例の泡立てネット及び泡立てネットの使用方法を図面（図１乃至図１７）を参照して説明する。
図１乃至図３に示すＮは洗顔液、石けん等を泡立てるために用いられる泡立てネットで、泡立てネットＮは、筒状に形成されたネット本体１と、このネット本体１の筒内に設けられたひも２と、ネット本体１の筒状の一端１Ａと他端１Ｂが取り付けられ、ひも１の移動を許容する通路３１を有したネット本体取り付け部３とを備えている。
【００２４】
ネット本体１は、例えば、ポリアミド、ナイロン、ポリエチレン等の合成樹脂を原料として形成される筒状のプラスチックネットで、図４、図５においては、ネット本体１は、腰がないため、扁平状になっている。
ネット本体取り付け部３は、内側パーツ３１と、内側パーツ３１を覆う外側パーツ３２とを有し、内側パーツ３１には、ひも２の移動を許容し、ネット本体１の移動を禁止する（通さない）通路３１Ａ、３１Ｂを備えている。
そして、図３に示すように、ネット本体取り付け部３の一方の側にひも２の一端２Ａと他端２Ｂが、ネット本体取り付け部３の他方の側にネット本体１が、それぞれ位置するようになっている。
ひも２の一端２Ａの側とひも２の他端２Ｂの側とが結合されて結合部２Ｘが形成され、この結合部２Ｘが通路３１Ａ、３１Ｂ（図１４参照）を通過しないようにして、ひも２がネット本体取り付け部３から離脱しないようにしている。
上述した結束部２Ｘは、本実施例においては、ひも２の一端２Ａの側とひも２の他端２Ｂの側とが結ばれて形成されているが、本願発明にあっては、これに限らず、結束部２Ｘは、ひも２の一端２Ａの側とひも２の他端２Ｂの側とが結合されていれば良く、例えば、接着剤を介して、ひも２の一端２Ａの側とひも２の他端２Ｂの側とが結合されていても良く、また、結合部２Ｘは、ひも２とは、別部材（図示しないが、例えば、包装資材として使用されるワイヤー）を使用して、ひも２の一端２Ａの側とひも２の他端２Ｂの側とが結合されていても良い。
【００２５】
従って、上述した泡立てネットＮによれば、泡立て時、ひも２をネット本体取り付け部３から引き出してネット本体１を縮めて（ネット本体１１の長さを、例えば、図３に示す１００ｍｍ程度に縮める。）使用することができるため、ネット本体１を密にして泡立て易くし、しかも、乾燥時、前記引き出しの方向とは逆方向に、ネット本体１をひも２の長手方向に伸ばして（ネット本体１１の長さを、例えば、図１に示す、３００ｍｍ程度に伸ばす。）使用することができるため、乾き易い効果を有する。
なお、ネット本体１をひも２の長手方向に伸ばす使用状態は、乾燥時（図１７参照）に限らず、ネット本体１を縮めて泡立てた後、ネット本体１をひも２の長手方向に伸ばした状態で、泡を取る（図１６参照）ようにすれば、泡が取りやすくなる。
つまり、ネット本体取り付け部３を移動させることで、ネット本体１を伸縮させ、縮めた状態にすれば、ネット本体１を密にして泡立て易く、しかも、伸ばした状態にすれば、ネット本体に付着した泡分離時、泡が取り易く（図１６参照）、また、乾き易くもなる（図１７参照）。
【００２６】
次に、泡立てネットＮの組み立て方について説明する。図５に示すように、ひも２をネット本体１の筒内に設けるようにする。
図５に示す４は長手方向に長い第１の長手形状部材で、第１の長手形状部材４は、ひも２の長手方向に沿ってネット本体１の網目を通して取り付けられる。
即ち、図５において、扁平状となったネット本体１の筒内のひも２の上に位置するネット本体１の上面から、扁平状となったネット本体１の筒内のひも２の下に位置するネット本体１の下面に、扁平状となったネット本体１の筒内のひも２の下に位置するネット本体１の下面から、扁平状となったネット本体１の筒内のひも２の上に位置するネット本体１の上面と交互に第１の長手形状部材４を通して、第１の長手形状部材４をネット本体１に取り付けるようにしている。
第１の長手形状部材４がネット本体１の網目を通して取り付けられる手段としては、
望ましくは、第１の長手形状部材４がネット本体１に対してギャザー縫い又はタック縫いされる。また、第１の長手形状部材４は、例えば、縫い糸で、望ましくは、透明な縫い糸である。
図５に示す５は長手方向に長い第２の長手形状部材で、第２の長手形状部材５は、ひも２の長手方向に沿ってネット本体１の網目を通して取り付けられる。
即ち、図５において、扁平状となったネット本体１の筒内のひも２の上に位置するネット本体１の上面から、扁平状となったネット本体１の筒内のひも２の下に位置するネット本体１の下面に、扁平状となったネット本体１の筒内のひも２の下に位置するネット本体１の下面から、扁平状となったネット本体１の筒内のひも２の上に位置するネット本体１の上面と交互に第２の長手形状部材５を通して、第２の長手形状部材４をネット本体１に取り付けるようにしている。
第２の長手形状部材５がネット本体１の網目を通して取り付けられる手段としては、
望ましくは、第２の長手形状部材５がネット本体１に対してギャザー縫い又はタック縫いされる。また、第２の長手形状部材５は、例えば、縫い糸で、望ましくは、透明な縫い糸である。
そして、ひも２が第１の長手形状部材４と第２の長手形状部材５との間に位置するようにする（図５参照）。
【００２７】
次に、図５記載のひも２を通したネット本体１を二つ折りにする（図６参照）。二つおりにしたネット本体１の筒状の一端１Ａと他端１Ｂをネット本体取り付け部３に取り付ける。
具体的には、筒状の一端１Ａと他端１Ｂを内側パーツ３１の挟持部材３１Ｃと挟持部材３１Ｄとの間に挟むようにする（図７参照）。
そして、ネット本体取り付け部３の通路３１Ａ、３１Ｂ（図１４参照）にひも２を通す（図８参照）。
次に、筒状のネット本体１の一端１Ａと他端１Ｂを内側パーツ３１の外周部に当接させ、その当接状態を保持するために、例えば、結束バンド６で締め付けて、筒状の一端１Ａと他端１Ｂを内側パーツ３１の外周部に取り付けるようにする（図９参照）。
次に、外側パーツ３２にひも２を通して、内側パーツ３１に設けた雄ねじ３１Ｅに外側パーツ３２の雌ネジ３２Ｅを螺合させる（図１０参照）。
なお、上述においては、筒状の一端１Ａと他端１Ｂを内側パーツ３１の挟持部材３１Ｃと挟持部材３１Ｄの間に挟むようにしたが、場合により、筒状のネット本体１の一端１Ａと他端１Ｂを内側パーツ３１の挟持部材３１Ａと挟持部材３１Ｂの間に挟まなくても、筒状の一端１Ａと他端１Ｂを内側パーツ３１の外周部に当接させ、その当接状態を結束バンド６で締め付けて、筒状のネット本体１の一端１Ａと他端１Ｂを内側パーツ３１の外周部に取り付けるようにしても良い。
【００２８】
上述した実施例においては、望ましくは、第１の長手形状部材４、第２の長手形状部材５を設け、ひも２を第１の長手形状部材４と第２の長手形状部材５との間に位置させたが、場合により、第１の長手形状部材４、第２の長手形状部材５を省略しても良い。
【００２９】
また、上述した実施例においては、ネット本体１を筒状に形成されたものを使用したが、本願発明にあっては、これに限らず、ネット本体１を図示しない帯状に形成されたものを使用したものでも良い。
この場合の泡立てネットは、ネット本体１を図示しない帯状に形成されたものを使用した以外、上述した泡立てネットＮと同様である。
即ち、上述したひも２は、帯状に形成されたネット本体の網目に通して、ひも２をネット本体に取り付けるようにする。また、上述したネット本体取り付け部３は、上述した実施例と同様、ネット本体の帯状の一端と他端が取り付けられ、ひも２の移動を許容する通路３１Ａ、３１Ｂを有している。
そして、上述したひも２は、ネット本体を伸ばした状態の長手方向の長さより長く、
上述の実施例と同様に、ネット本体取り付け部の一方の側にひもの一端と他端が、前記ネット本体取り付け部の他方の側に前記ネット本体が、それぞれ位置し、前記通路は前記ひもの移動を許容し、前記ネット本体の移動を禁止するようにする。
帯状に形成されたネット本体を用いた泡立てネットも、上述した泡立てネットＮと同様、泡立て時、ひもをネット本体取り付け部から引き出して前記ネット本体を縮めて使用することができるため、泡立て易く、しかも、乾燥時、前記引き出しの方向とは逆方向に、前記ネット本体を前記ひもの長手方向に伸ばして使用することができるため、乾き易い効果を有する。
【００３０】
なお、ネット本体１が筒状のもの、図示しない帯状のものを用いた泡立てネットにおいても、ネット本体と、このネット本体に設けられたひもと、前記ネット本体の一端と他端が取り付けられ、前記ひもの移動を許容する通路を有したネット本体取り付け部とを備え、
前記ネット本体取り付け部の一方の側に前記ひもの一端と他端が、前記ネット本体取り付け部の他方の側に前記ネット本体が、それぞれ位置し、
前記通路は前記ひもの移動を許容し、前記ネット本体の移動を禁止するものであり、
泡立て時、前記ひもをネット本体取り付け部から引き出して前記ネット本体を縮めて使用し、
乾燥時、前記引き出しの方向とは逆方向に、前記ネット本体を前記ひもの長手方向に伸ばして使用することができる。
この泡立てネットの使用方法によれば、泡立て時、ひもをネット本体取り付け部から引き出して前記ネット本体を縮めて使用する（例えば、図１５参照）ことができるため、前記ネット本体を密にして泡立て易くし、しかも、乾燥時、前記引き出しの方向とは逆方向に、前記ネット本体を前記ひもの長手方向に伸ばして使用する（例えば、図１７参照）ことができるため、乾き易い効果を有する。
【００３１】
本願発明は、上述した泡立てネット及び泡立てネットの使用方法に限らず、図１８乃至図２０に示す泡立てネット及び泡立てネットの使用方法でも良い。
即ち、図１８乃至図２０に示すＮは泡立てネットで、泡立てネットＮは、筒状に形成されたネット本体１を有する。
ネット本体１は、上述した図１乃至図１７記載の実施例のネット本体１と同様、例えば、ポリアミド、ナイロン、ポリエチレン等の合成樹脂を原料として形成される筒状のプラスチックネットで、図１８乃至図２０においては、ネット本体１は、腰がないため、扁平状になっている。
２は、ネット本体１の筒内に設けられた第１のひもで、２’は、ネット本体１の筒内に設けられた第２のひもである。
【００３２】
Ｐは、ネット本体１に設けられ、第１のひも２及び第２のひも２’が位置し、第１のひも２及び第２のひも２’の移動を許容する通路である。
通路Ｐは、例えば、長手方向に長い第１の長手形状部材４と長手方向に長い第２の長手形状部材５により形成されるもので、第１の長手形状部材４及び第２の長手形状部材５は、第１の長手形状部材４及び第２の長手形状部材５の長手方向に沿ってネット本体１の網目を通して取り付けられる。
第１の長手形状部材４、第２の長手形状部材５は、ネット本体１の網目を通して取り付けられ、取り付けられる手段としては、望ましくは、第１の長手形状部材４、第２の長手形状部材５がネット本体１に対してギャザー縫い又はタック縫いされる。また、第１の長手形状部材４、第２の長手形状部材５は、上述した図１乃至図１７記載の実施例の第１の長手形状部材４、第２の長手形状部材５と同様、例えば、縫い糸で、望ましくは、透明な縫い糸である。
【００３３】
通路Ｐは、両端が開放され、開放された一方は一方開放部Ｐ１であり、開放された他方は他方開放部Ｐ２であり、
通路Ｐは、中途が開放され、開放された一方は一方開放部Ｐ１に連通する中途一方開放部Ｐ３であり、開放された他方は他方開放部Ｐ２に連通する中途他方開放部Ｐ４である。
第１のひも２は、通路Ｐ内にあって、一方開放部Ｐ１、中途一方開放部Ｐ３、中途他方開放部Ｐ４、他方開放部Ｐ２を通ると共に、環状に形成されている。環状に形成されとは、例えば、第１のひも２の一端側と他端側とを結んで結合部２Ｘを形成して行うことができる。
また、第２のひも２’は、通路Ｐ内にあって、一方開放部Ｐ１、中途一方開放部Ｐ３、中途他方開放部Ｐ４、他方開放部Ｐ２を通ると共に、環状に形成されている。環状に形成されとは、第１のひも２と同様、例えば、第２のひも２’の一端側と他端側とを結んで結合部２’Ｘを形成して行うことができる。
【００３４】
従って、上述した泡立てネットＮ（泡立てネットの使用方法）によれば、第１のひも２は、通路Ｐ内にあって、一方開放部Ｐ１、中途一方開放部Ｐ３、中途他方開放部Ｐ４、他方開放部Ｐ２を通ると共に、環状に形成され、第２のひも２’は、通路Ｐ内にあって、一方開放部Ｐ１、中途一方開放部Ｐ３、中途他方開放部Ｐ４、他方開放部Ｐ２を通ると共に、環状に形成されているため、泡立て時、一方開放部Ｐ１及び他方開放部Ｐ２より露出した第１のひも２の一端と中途一方開放部Ｐ３及び中途他方開放部Ｐ４より露出した第２のひも２’の一端とを遠ざかる方向へ移動させ、ネット本体１を縮めて使用して（図１８→図１９→図２０）、ネット本体１を密にして泡立て易くし、しかも、乾燥時、縮めたネット本体１を第１のひも２及び第２のひも２’を第１のひも２及び第２のひも２’の長手方向に移動させてネット本体１を伸ばして使用するため、乾き易い効果を有する。
なお、特に、泡立て後、縮めた泡が付いたネット本体１で体の部位、例えば、背中の部位を洗うのに好適である。
【符号の説明】
【００３５】
Ｎ      泡立てネット
１      ネット本体
２      ひも
２Ａ    ひもの一端
２Ｂ    ひもの他端
３      ネット本体取り付け部
３１Ａ  通路
３１Ｂ  通路
【図１】
2018114260.tif 000003
【図２】
2018114260.tif 000004
【図３】
2018114260.tif 000005
【図４】
2018114260.tif 000006
【図５】
2018114260.tif 000007
【図６】
2018114260.tif 000008
【図７】
2018114260.tif 000009
【図８】
2018114260.tif 000010
【図９】
2018114260.tif 000011
【図１０】
2018114260.tif 000012
【図１１】
2018114260.tif 000013
【図１２】
2018114260.tif 000014
【図１３】
2018114260.tif 000015
【図１４】
2018114260.tif 000016
【図１５】
2018114260.tif 000017
【図１６】
2018114260.tif 000018
【図１７】
2018114260.tif 000019
【図１８】
2018114260.tif 000020
【図１９】
2018114260.tif 000021
【図２０】
2018114260.tif 000022